(57)【要約】【目的】本発明の目的は、車椅子が容易に通行することができる配線ダクト用カバー及びこれを用いた配線ダクトを提供することにある。【構成】配線ダクト用カバー２００は、地面や床に載置される配線ダクトＡのダクト本体１００に取り付けられ、当該ダクト本体１００の上端面に長さ方向にわたって形成された開口１１１を閉塞するカバーであって、断面視略ハ字状の長尺部材であるカバー本体２１０を有しており、このカバー本体２１０は、幅寸法が配線ダクトの幅寸法よりも幅広であり、且つ幅方向の両側の傾斜部２１１、２１１の先端部が地面等に各々当接するようになっており、この傾斜部２１１、２１１の当接面を基準とする傾斜角度が１〜１５°であることを特徴としている。【選択図】      図１
2005057815.tif 000002
【特許請求の範囲】
【請求項１】
地面や床に載置される配線ダクトのダクト本体に取り付けられ、当該ダクト本体の上端面に長さ方向にわたって形成された開口を閉塞する配線ダクト用カバーにおいて、断面視略ハ字状の長尺部材であるカバー本体を有しており、このカバー本体は、幅寸法がダクト本体の幅寸法よりも幅広であり、且つ幅方向の両側の傾斜部の先端部が地面等に各々当接するようになっており、この傾斜部の当接面を基準とする傾斜角度が１〜１５°であることを特徴とする配線ダクト用カバー。
【請求項２】
請求項１記載の配線ダクト用カバーにおいて、前記カバー本体の少なくとも一部はダクト本体と異なる色に着色されていることを特徴とする配線ダクト用カバー。
【請求項３】
請求項１又は２記載の配線ダクト用カバーにおいて、前記カバー本体の少なくとも一部には発光部材が設けられていることを特徴とする配線ダクト用カバー。
【請求項４】
地面や床に載置される配線ダクトにおいて、上端部に長さ方向にわたって配線を出し入れするための開口が形成されたダクト本体と、このダクト本体に取り付けられる請求項１、２又は３の配線ダクト用カバーとを有することを特徴とする配線ダクト。
【請求項５】
略Ｌ字状に配置される請求項４記載の配線ダクトにおいて、互いに対向する配線ダクトの一方の端部は平面視約４５°に切り欠かれていることを特徴とする配線ダクト。
【請求項６】
地面や床に載置される配線ダクトの幅方向両側の少なくともいずれか一方に配置される配線ダクト用補助スロープ部材であって、配線ダクトの長さ方向に沿って延びる長尺部材である補助スロープ部材本体を有しており、この補助スロープ部材本体の傾斜部の載置面を基準とする傾斜角度が１〜１５°であることを特徴とする配線ダクト用補助スロープ部材。
【発明の詳細な説明】
【０００１】
【発明の属する技術分野】
本発明は、地面や床に載置される配線ダクトに取り付けられる配線ダクト用カバー及びこれを用いた配線ダクト並びに配線ダクト用補助スロープ部材に関する。
【０００２】
【従来の技術】
この種の配線ダクトは、上端面に長さ方向にわたって配線を出し入れするための開口が設けられたダクト本体と、このダクト本体に取り付けられ、前記開口を閉塞する配線ダクト用カバーとを有している。この配線ダクトの配線ダクト用カバーには矩形状のものやかまぼこ状のもの（  特許文献１参照）  がある。かまぼこ状の配線ダクト用カバーは、矩形状の配線ダクト用カバーと比べて、当該配線ダクト用カバー上を通行する車椅子や台車の通行をある程度考慮した形状になっている。
【０００３】
【特許文献１】
特願平１０−３１６７５２号公報
【０００４】
【発明が解決しようとする課題】
ところが、前記かまぼこ状の配線ダクト用カバーを有する配線ダクトであっても、車椅子等が当該配線ダクト上を乗り越えるには平坦な道を通行している通常移動時と比べて大きな力が必要になり、場合によって第３者の助けが必要になる。
【０００５】
本発明は、上記事情に鑑みて創案されたものであって、その目的とするところは、車椅子等が配線ダクト上を乗り越える際の力を軽減し、車椅子等の利用者の通行時の利便性を高めることができる配線ダクト用カバー及びこれを用いた配線ダクト並びに配線ダクト用補助スロープ部材を提供することにある。
【０００６】
【課題を解決するための手段】
上記課題を解決するために、本発明の配線ダクト用カバーは、地面や床に載置される配線ダクトのダクト本体に取り付けられ、当該ダクト本体の上端部に長さ方向にわたって形成された開口の少なくとも一部を閉塞する配線ダクト用カバーであって、断面視略ハ字状の長尺部材であるカバー本体を有しており、このカバー本体は、幅寸法がダクト本体の幅寸法よりも幅広であり、且つ幅方向の両側の傾斜部の先端部が地面等に各々当接するようになっており、この傾斜部の当接面を基準とする傾斜角度が１〜１５°であることを特徴としている。
【０００７】
より好ましくは、前記カバー本体の少なくとも一部はダクト本体と異なる色に着色されていることが望ましい。
【０００８】
より好ましくは、前記カバー本体の少なくとも一部には発光部材が設けられていることが望ましい。
【０００９】
本発明の配線ダクトは、地面や床に載置されるダクトであって、上端部に長さ方向にわたって配線を出し入れするための開口が形成されたダクト本体と、このダクト本体に取り付けられる上記配線ダクト用カバーとを有することを特徴としている。
【００１０】
この配線ダクトを略Ｌ字状に配置する場合には、当該配線ダクトの一方の端部を平面視約４５°に切り欠き、互いに対向させるように配置する。
【００１１】
また、本発明の配線ダクト用補助スロープ部材は、地面や床に載置される配線ダクトの幅方向両側の少なくともいずれか一方に配置される配線ダクト用補助スロープ部材であって、配線ダクトの長さ方向に沿って延びる長尺部材である補助スロープ部材本体を有しており、この補助スロープ部材本体の傾斜部の載置面を基準とする傾斜角度が１〜１５°であることを特徴としている。
【００１２】
【発明の実施の形態】
以下、本発明の実施の形態に係る配線ダクトを図面を参照しながら説明する。図１は本発明の実施の形態に係る配線ダクトの概略的斜視図、図２は同配線ダクトの概略的斜視図、図３は同配線ダクトの配線ダクト用カバーの概略的斜視図、図４は同配線ダクトをＬ字状に配置した状態を示す模式的平面図、図５は同配線ダクトの配線ダクト用カバーの別の使用例を示す概略的斜視図である。
【００１３】
図１に示す配線ダクトＡは、配線Ｂを収容し、地面や床に載置されるものであって、ダクト本体１００と、このダクト本体１００に取り付けられる配線ダクト用カバー２００とを有している。以下、各部を詳しく説明する。
【００１４】
ダクト本体１００は、図２に示すように、従来のものと同様のものであり、長さ方向にわたって設けられた配線Ｂを収容する収容路１１０と、この収容路１１０の両側に長さ方向にわたって設けられた一対の溝部１２０、１２０とを有する樹脂製の形成品である。収容路１１０の上端面には、長さ方向にわたって配線Ｂを出し入れするための開口１１１が形成されている。溝部１２０には、配線ダクト用カバー２００の係合片２１２、２１２が挿入される（  図１参照）  。
【００１５】
配線ダクト用カバー２００は、図１及び３に示すように、断面視略ハ字状の長尺部材であるカバー本体２１０を有する樹脂製の成形品である。このカバー本体２１０の幅寸法がダクト本体１００の幅寸法よりも幅広であり、且つ幅方向の両側の傾斜部２１１、２１１の先端部が地面等に各々当接するようになっている。この傾斜部２１１、２１１の当接面を基準とする傾斜角度は施設や周りの環境等に応じて１°〜１５°の間で適宜選定される。これにより、カバー本体２１０はスロープとしての機能を果たすようになっている。特に、車椅子の人が自力で通行することを想定してる場合には、傾斜部２１１、２１１の傾斜角度を５°以下とすることが望ましい。なお、電動車椅子若しくは車椅子の人に介助者が同行していることを想定してる場合には、傾斜部２１１、２１１の傾斜角度を１５°以下とすることができる。
【００１６】
このカバー本体２１０の下面には、内側に一対の係合片２１２、２１２が、外側に一対の凸部２１３、２１３が長さ方向にわたって設けられている。係合片２１２、２１２はダクト本体１００の溝部１２０に挿入され保持される。このようにして配線ダクト用カバー２００がダクト本体１００に取り付けられる。一方、凸部２１３、２１３は床等に当接し、カバー本体２１０の傾斜部２１１、２１１を支持する。
【００１７】
また、カバー本体２１０は、図１に示す斜線部分がダクト本体１００と異なる色（  例えば黄色）  に着色されている。これにより、配線ダクトＡの存在を察知させ、通行者に注意を喚起させることができる。
【００１８】
このように構成された配線ダクトＡによる場合、配線ダクト用カバー２００はカバー本体２１０の傾斜部２１１、２１１の当接面を基準とする傾斜角度が１°〜１５°の間に設定されている。即ち、カバー本体２１０の傾斜部２１１、２１１の傾斜角度は従来例の配線ダクトの配線ダクト用カバーの傾斜部の傾斜角度と比べて緩やかになっている。従って、車椅子や台車の配線ダクトＡを乗り越える際にかかる力が従来の配線ダクトと比べて小さな力で済む。即ち、車椅子等の利用者の通行が容易になり、自由に移動し易くなることから、結果として車椅子等の利用者の利便性を高めることができる。
【００１９】
配線ダクト用カバー２００については、断面視略ハ字状の長尺部材であるカバー本体を有しており、このカバー本体は、幅寸法が配線ダクトの幅寸法よりも幅広であり、且つ幅方向の両側の傾斜部の先端部が地面等に各々当接するようになっており、この傾斜部の当接面を基準とする傾斜角度が１〜１５°である限り、どのような設計変形をしてもかまわない。例えば、傾斜部２１１、２１１下面に複数の凸部２１３、２１３を設けることも可能である。また、カバー本体２１０は、図１の斜線部分が着色されているとしたが、少なくとも一部がダクト本体１００と異なる色で通行者に注意を喚起させる程度に着色されていれば良い。また、着色の代わりに発光部材を設けることも可能である。例えば、カバー本体２１０に発光部材としてＬＥＤチップを内蔵し発光させるようにしても良いし、カバー本体２１０に発光部材として蓄光顔料を混入し自ら発光させるようにしても良い。なお、カバー本体２１０の少なくとも一部には、着色し且つ発光させるようにしても良いし、着色又は発光しないようにすることも当然可能である。
【００２０】
ダクト本体１００については、床等に載置されるものであり、上端面に長さ方向にわたって配線を出し入れするための開口が形成されているものである限り、どのような設計変形をしてもかまわない。
【００２１】
従って、配線ダクトＡを略Ｌ字状に配置する場合、図４に示すように、配線ダクトＡの一方の端部を平面視４５°に切り欠き、この端部同士を互いに対向するように配置する。このように設計変形した場合、施設や周りの環境等に応じて配線ダクトＡを自由に設置することができる。しかも、単に端部を切り欠くだけで良いので、配線ダクトＡの接続部品の金型を作製する必要がなく、この点から低コスト化を図る上でメリットがある。
【００２２】
なお、ここでは、配線ダクトとして説明したが、配線ダクト用カバー２００のみを用いることも当然可能である。例えば、図５に示すように、従来の配線ダクトの配線ダクト用カバーの一部分をカットし、この部分に配線ダクト用カバー２００をダクト本体に取り付ける。このようにすれば、従来の配線ダクトのダクト本体をそのまま用いて、簡単に車椅子の通行し易くすることができる。
【００２３】
次に、従来の配線ダクトに長さ方向に沿って配置される配線ダクト用補助スロープ部材について図６を参照しながら説明する。図６は従来の配線ダクトに長さ方向に沿って配置される配線ダクト用補助スロープ部材の概略的断面図である。
【００２４】
図６に示す配線ダクト用補助スロープ部材Ｃ、Ｃは地面や床に載置される従来のかまぼこ状の配線ダクトＡ’の幅方向両側に配置される。なお、従来の配線ダクトの符号についてはここでは、Ａ’を付す。
【００２５】
配線ダクト用補助スロープ部材Ｃ、Ｃは配線ダクトＡ’の長さ方向に沿って延びる長尺部材である補助スロープ部材本体３００、３００と、この補助スロープ部材本体３００、３００から下方に向けて突出された突出片３１０、３１０とを有している。突出片３１０、３１０は下端部が地面等に当接し、これにより補助スロープ部材本体３００、３００を支持している。補助スロープ部材本体３００、３００の載置面を基準とする傾斜角度は施設や周りの環境等に応じて１〜１５°の間で適宜選定される。
【００２６】
このように構成された配線ダクト用補助スロープ部材Ｃ、Ｃを用いた場合、補助スロープ部材本体３００、３００の載置面を基準とする傾斜角度が１〜１５°の間で適宜選定されているので、配線ダクトＡ’をそのまま用いて、簡単に車椅子の通行し易くすることができる。この配線ダクト用補助スロープ部材Ｃ、Ｃについては、地面や床に載置される配線ダクトの幅方向両側の少なくともいずれか一方に配置される配線ダクト用補助スロープ部材であって、配線ダクトの長さ方向に沿って延びる長尺部材である補助スロープ部材本体を有しており、この補助スロープ部材本体の傾斜部の載置面を基準とする傾斜角度が１〜１５°である限りどのような設計変形を行ってもかまわない。例えば、配線ダクトに係合孔又は係合凸部を設け、補助スロープ部材本体に係合凸部又は係合孔を設け、配線ダクト用補助スロープ部材を配線ダクトに取り付けるようにしても良い。なお、ここでは、配線ダクトＡ’については、かまぼこ状であるとしたが、どのような形状のものであってもかまわないことは言うまでもない。
【００２７】
【発明の効果】
以上説明とおり、本発明の請求項１に係る配線ダクト用カバーは、地面や床に載置される配線ダクトのダクト本体に取り付けられ、当該ダクト本体の上端面に長さ方向にわたって形成された開口を閉塞する配線ダクト用カバーにおいて、断面視略ハ字状の長尺部材であるカバー本体を有しており、このカバー本体は、幅寸法がダクト本体の幅寸法よりも幅広であり、且つ幅方向の両側の傾斜部の先端部が地面等に各々当接するようになっており、この傾斜部の当接面を基準とする傾斜角度が１〜１５°であることを特徴としている。
【００２８】
このような請求項１の配線ダクト用カバーによる場合、カバー本体の傾斜部の当接面を基準とする傾斜角度が１〜１５°である。すなわち、カバー本体の傾斜部の傾斜角度が従来例の配線ダクトの配線ダクト用カバーの傾斜部の傾斜角度と比べて緩やかであるので、車椅子や台車が従来の配線ダクト用カバーと比べて小さな力で乗り越えることができる。即ち、車椅子等が容易に通行することができることから、車椅子等を利用する人の負担が少なくなり、自由に移動することが可能になる。その結果、車椅子等の利用者の利便性を高めることができる。
【００２９】
本発明の請求項２に係る配線ダクト用カバーは、請求項１記載の配線ダクト用カバーにおいて、前記カバー本体の少なくとも一部は配線ダクトと異なる色に着色されている。
【００３０】
本発明の請求項３に係る配線ダクトは、請求項１又は２記載の配線ダクト用カバーにおいて、前記カバー本体の少なくとも一部には発光部材が設けられている。
【００３１】
このような請求項２、３の配線ダクト用カバーによる場合、配線ダクト用カバーの存在を通行者に察知させ、注意を喚起させることができる。従って、安全性を向上させることができる。
【００３２】
本発明の請求項４に係る配線ダクトは、地面や床に載置される配線ダクトにおいて、上端部に長さ方向にわたって配線を出し入れするための開口が形成されたダクト本体と、このダクト本体に取り付けられる請求項１、２又は３の配線ダクト用カバーとを有することを特徴としている。
【００３３】
このような請求項４の配線ダクトによる場合、請求項１、２又は３の配線ダクト用カバーと同様の効果を奏する。
【００３４】
本発明の請求項５に係る配線ダクトは、略Ｌ字状に配置される請求項４記載の配線ダクトにおいて、互いに対向する配線ダクトの一方の端部は平面視約４５°に切り欠かれている。
【００３５】
このような請求項５の配線ダクトによる場合、配線ダクトの一方の端部を平面視約４５°に切り欠けば、この端部同士を対向配置するだけで、配線ダクトを略Ｌ字状に配置することができる。このように配線ダクトの端部を切り欠くだけで良いので、接続部品の金型を新たに作製する必要がなく、低コスト化を図る上でメリットがある。
【００３６】
本発明の請求項５に係る配線ダクト用補助スロープ部材による場合、請求項１と同様の効果を奏する。
【図面の簡単な説明】
【図１】本発明の実施の形態に係る配線ダクトの概略的斜視図である。
【図２】同配線ダクトの内部が透過したダクト本体の概略的斜視図である。
【図３】同配線ダクトの配線ダクト用カバーの概略的斜視図である。
【図４】同配線ダクトの設計変形例を示す模式的平面図である。
【図５】同配線ダクトの配線ダクト用カバーの別の使用例を示す概略的斜視図である。
【図６】従来の配線ダクトに長さ方向に沿って配置される配線ダクト用補助スロープ部材の概略的断面図である。
【符号の説明】
Ａ      配線ダクト
１００  ダクト本体
２００  配線ダクト用カバー
２１１  傾斜部
Ｂ      配線
Ｃ      配線ダクト用補助スロープ部材
３００  補助スロープ部材本体
【図１】
2005057815.tif 000003
【図２】
2005057815.tif 000004
【図３】
2005057815.tif 000005
【図４】
2005057815.tif 000006
【図５】
2005057815.tif 000007
【図６】
2005057815.tif 000008